(57)【要約】【課題】ループ抽選を行う遊技機において、ループ抽選の結果の推測を防止する。【解決手段】ループ抽選処理の実行前に、ループ抽選処理に関連する演出の開始に係る予告コマンドを送信する第１送信処理部と、ループ抽選処理の終了後に、ループ抽選による上乗せ結果に対応する演出の第２情報を送信する第２送信処理部とを備える。ループ抽選処理の終了のタイミングに依存することなく、予め定められた一定のタイミングでループ抽選処理に関連する演出を開始できる。ループ抽選に係る演出の開始タイミングが抽選結果に応じて変動することがないので、結果の推測を防止できる。【選択図】図７
2019141310.tif 000002
【特許請求の範囲】
【請求項１】
予め定められた処理（以下「特定処理」）の結果に対応して所定の処理を行う遊技機において、
前記特定処理は、処理終了までに要する時間が不定であり、
前記特定処理の実行前に、前記所定の処理の開始に係る第１情報を送信する第１送信処理部と、
前記特定処理の終了後に、前記特定処理の結果に対応する前記所定の処理の実行に係る第２情報を送信する第２送信処理部と、
前記第１情報及び前記第２情報に基づき、前記所定の処理を実行する処理部とを備え、
前記処理部は、前記特定処理の終了のタイミングに依存することなく、予め定められた一定のタイミングで前記第１情報に基づく前記所定の処理を開始する、ことを特徴とする遊技機。
【請求項２】
前記第１情報の送信後であって、前記第２情報の送信前に、前記特定処理の実行開始から予め定められた時間内に送信されるべき所定の信号を送信する第３送信処理部を備えることを特徴とする請求項１記載の遊技機。
【発明の詳細な説明】
【技術分野】
【０００１】
本発明は、スロットマシン（回胴式遊技機）やパチンコ機などの遊技機に関し、特に、ループ抽選に係る演出のコマンド送信のタイミングに関する。
【背景技術】
【０００２】
外周面に図柄が配列された複数の回胴を備えた遊技機（回胴式遊技機、スロットマシン）が知られている。この種の遊技機は、遊技媒体（メダル）に対して一定の遊技価値を付与し、このような遊技媒体を獲得するための遊技を行うものである。また、この種の遊技機は、遊技者の回転開始操作を契機として、内部抽選を行うとともに複数の回胴の回転を開始させ、遊技者の停止操作契機として、内部抽選の結果に応じた態様で複数の回胴を停止させる制御を行っている。そして、遊技の結果は、複数の回胴が停止した状態における入賞判定ライン上に表示された図柄組合せによって判定され、遊技の結果に応じてメダル等の払い出しなどが行われる。
【０００３】
遊技者の興趣を高める役割を担うデバイスとして、液晶表示装置や演出用表示ランプ（電飾）や、音響発生装置（サウンド装置、スピーカー）などさまざまな演出デバイスが遊技機には設けられている。また、可動部を備え、当該可動部の動きにより演出を行う可動役物（可動体）が設けられることもある。なお、以下の説明において、液晶表示装置、電飾、音響発生装置そのもののみならずそれらの制御装置を含めて「演出デバイス」と表記することがある。
【先行技術文献】
【特許文献】
【０００４】
【特許文献１】特許第5585899号ループ抽選処理を用いながらも遊技の興趣の減退を防止することができる遊技台を提供する。遊技台の制御手段は、所定の抽選処理によって所定の抽選結果が導出されるまで該所定の抽選処理を連続的に実行するループ抽選処理を実行可能に構成されている。また、所定の実行条件が充足されたことに基づいて前記ループ抽選処理を実行し、前記所定の実行条件が充足された以降に次に実行すべき次処理が実行されるタイミングを遅延させる遅延処理を実行する。
【発明の概要】
【発明が解決しようとする課題】
【０００５】
特許文献１記載の遊技機では、遅延処理により次処理が実行されるタイミングを遅延させている。これによりループ抽選に要する時間よりも長い時間、ループ抽選とは関係ない所定の演出を行い、この演出が終わった後に、ループ抽選の結果を示す演出を行うようにしている。これによりループ抽選の結果を示す演出の開始タイミングが一定になるので、演出の開始タイミングの変動に基づいて遊技者がループ抽選の結果を推測すること（いわゆる上乗せ結果の先バレ）を防止している。
【０００６】
しかしながら、特許文献１では、上乗せ結果の先バレ防止のために、ループ抽選時間に遅延時間を加えた時間が経過するまでの間においてループ抽選とは関連の無い演出をした後、一定のタイミングでその抽選結果を報知するというものであるから、遊技者は、抽選結果を知るまでの間にそれとは無関係に冗長な演出を見せられることになり興趣を損ないかねない。また、ループ抽選の終了を単に待つという点で特許文献１は従来技術と何ら変わらない。特許文献１はループ抽選の実行前に何らかの処理を行うものでもない。
【０００７】
この発明は、上記問題を解決しつつ、処理終了までに要する時間が不定である抽選処理を行う遊技機において、その抽選結果に係る処理の開始タイミングを一定にすることができる遊技機を提供することを目的とする。
【課題を解決するための手段】
【０００８】
この発明は、予め定められた処理（例えば、ループ抽選処理、以下「特定処理」）の結果に対応して所定の処理を行う遊技機において、
前記特定処理は、処理終了までに要する時間が不定であり、
前記特定処理の実行前に、前記所定の処理の開始に係る第１情報（上乗せ開始、予告コマンド）を送信する第１送信処理部と、
前記特定処理の終了後に、前記特定処理の結果に対応する前記所定の処理の実行に係る第２情報（上乗せ情報、上乗せ結果、処理の具体的な態様を指定するための情報）を送信する第２送信処理部と、
前記第１情報及び前記第２情報に基づき、前記所定の処理を実行する処理部とを備え、
前記処理部は、（前記特定処理の処理終了までに要する時間が不定であるにもかかわらず）前記特定処理の終了のタイミングに依存することなく、予め定められた一定のタイミングで前記第１情報に基づく前記所定の処理を開始する、ことを特徴とする。
【０００９】
前記第１情報の送信後であって、前記第２情報の送信前に、前記特定処理の実行開始から予め定められた時間内に送信されるべき所定の信号（IF2試験用コマンド）を送信する第３送信処理部を備えるようにしてもよい。
【００１０】
前記一定のタイミングは、前記特定処理の開始の契機（スタートスイッチ押下）、あるいは当該契機から所定時間経過後（ループ抽選のループ回数）である。前記特定処理が、処理終了までに要する時間が不定であるのは、ループ処理を含み、その繰り返し回数が抽選結果による影響を受ける（要するに、抽選結果でループ回数が選択される）ためである。
【００１１】
この発明は、予め定められた抽選処理及び前記抽選処理の結果に対応して所定の演出を行う遊技機において、
前記抽選処理に係る情報を、直ちに送るべき第１情報と、前記第１情報の後に送るべき（遅れても構わない）第２情報とに分ける情報分離部と、
前記抽選処理の完了前に、前記抽選処理に関連する前記演出の開始に係る第１情報（上乗せ開始、予告コマンド）を送信する第１送信処理部と、
前記抽選処理の完了後に、前記抽選処理の結果に対応する前記演出の実行に係る第２情報（上乗せ情報、上乗せ結果、演出の具体的な態様を指定するための情報）を送信する第２送信処理部と、
前記第１情報及び前記第２情報に基づき、前記演出を実行する処理部とを備え、
前記処理部は、前記抽選処理の処理終了までに要する時間が不定であるにもかかわらず、前記抽選処理の完了のタイミングに依存することなく、予め定められた一定のタイミングで前記第１情報に基づく前記演出を開始する、ことを特徴とするものである。
【発明の効果】
【００１２】
この発明によれば、前記抽選処理の実行前に、前記抽選処理に関連する前記処理の開始に係る第１情報を送信する第１送信処理部と、前記抽選処理の終了後に、前記抽選処理の結果に対応する前記処理の実行に係る第２情報を送信する第２送信処理部とを備えたので、ループ抽選に係る演出の開始タイミングを一定にすることができる。遊技者がループ抽選の結果の推測（上乗せ結果の先バレ）を防止し、興趣を損なうことがなくなる。
【図面の簡単な説明】
【００１３】
【図１】前扉を閉めた状態を示すスロットマシンの斜視図である。
【図２】前扉を開いた状態を示すスロットマシンの斜視図である。
【図３】スロットマシンのブロック図である。
【図４】スロットマシンの遊技処理のフローチャートである。
【図５】ループ抽選処理における上乗せ結果の先バレの説明図（タイミングチャート）である。
【図６】発明の実施の形態に係る遊技機のループ抽選処理及びコマンド送信処理のブロック図である。
【図７】発明の実施の形態に係る遊技機のループ抽選処理及びコマンド送信処理のフローチャートである。
【図８】発明の実施の形態に係るコマンド送信の説明図（タイミングチャート）である。
【図９】発明の実施の形態に係るコマンド送信の他の説明図（タイミングチャート）である。
【図１０】試験装置とスロットマシンの接続の説明図（ブロック図）である。
【図１１】送信ループ抽選処理のコマンド送信とＩＦ２試験用コマンドの送信の関係の説明図（タイミングチャート）である。
【図１２】発明の実施の形態に係る遊技機のループ抽選処理及びコマンド送信処理の他のブロック図である。
【図１３】発明の実施の形態に係る遊技機のループ抽選処理及びコマンド送信処理の他のフローチャートである。
【図１４】発明の実施の形態に係るコマンド送信の説明図（タイミングチャート）である。
【図１５】発明の実施の形態に係る遊技機の演出処理及びコマンド送信処理のブロック図である。
【図１６】パチンコ機の前扉を開けた状態の斜視図である。
【図１７】パチンコ機の盤面の様子を示す図（正面図）である。
【図１８】パチンコ機のブロック図である。
【発明を実施するための形態】
【００１４】
＜遊技機の構造＞
図１は前扉を閉めた状態を示すスロットマシンの正面図、図２は前扉を開いた状態を示すスロットマシンの正面図を示す。なお、以下の説明において、上、下、左又は右の方向は、特に断らない限り、スロットマシンに対向している遊技者から見た方向を指すものとする。
【００１５】
図１及び図２中、１００はスロットマシンを示すもので、このスロットマシン１００は、スロットマシン筐体１２０と、このスロットマシン筐体１２０の前面片側にヒンジ等により開閉可能に取り付けられた前扉１３０とを備えている。前扉１３０は、それぞれ独立に開閉可能な上扉１３０Ｕと下扉１３０Ｌとを備えている。
【００１６】
前記前扉１３０の前面の右上隅には、ゲーム表示部１３１を設けている。遊技者はゲーム表示部１３１を通してリールユニット２０３の３つのリールを見ることができる。
【００１７】
上扉１３０Ｕの上面の右側に、遊技者がメダルを投入するためのメダル投入口１３２を設け、メダル投入口１３２の左側には、メダル投入口１３２から投入され、詰まってしまったメダルをスロットマシン１００外に強制的に排出するためのリジェクトボタン１３３を設けている。
【００１８】
下扉１３０Ｌの上面の左側にはゲームを開始するためのスタートスイッチ１３４を設け、スタートスイッチ１３４とメダル投入口１３２の間に、３つのリールのそれぞれに対応して３つのストップボタン１４０を設けている。
【００１９】
上扉１３０Ｕの中央には液晶パネルＬＣＤ１を設け、下扉１３０Ｌにはほぼその全面にわたって液晶パネルＬＣＤ２を設けている。
【００２０】
下扉１３０Ｌの上面の中央、すなわち、ストップボタン１４０の上、ベットスイッチＢＥＴとメダル投入口１３２の間には、操作部としてのスイッチ（十字キーユニット）ＳＷを設けている。スイッチＳＷは、例えばカーソルを上下左右に動かすカーソルキー（スイッチ）や操作の確定ボタン・キャンセルボタンなどを含む。
【００２１】
スロットマシン１００の左右端にはそれぞれ電飾ＤＲＵ、ＤＲＬ、ＤＬＵ、ＤＬＬを設けている。すなわち、上扉１３０Ｕの左端に電飾ＤＬＵを設け、右端に電飾ＤＲＵを設けるとともに、下扉１３０Ｌの左端に電飾ＤＬＬを設け、右端に電飾ＤＲＬを設けている。電飾ＤＲＵ、ＤＲＬ、ＤＬＵ、ＤＬＬは、それぞれその内部に発光装置（ＬＥＤ）を備えている。
【００２２】
スロットマシン筐体１２０の内部には、図２に示すように、その内底面に固定され、内部に複数のメダルを貯留して、貯留したメダルを下扉１３０Ｌの前面下部に設けた払出し口に１枚ずつ払い出すためのホッパ装置１２１が設置されている。このホッパ装置１２１の上部には、上方に向けて開口し、内部に多数のメダルを貯留するホッパタンク１２２を備えている。スロットマシン筐体１２０の内部には、上扉１３０Ｕを閉めたときにゲーム表示部１３１が来る位置に三個のリールからなるリールユニット２０３が設置されている。リールユニット２０３は、外周面に複数種類の図柄が配列されている３つのリール（第１リール〜第３リール）を備えている。ゲーム表示部１３１には開口部が設けられていて、それを通して遊技者が前記リールユニット２０３の各回転リールの図柄を見ることができるようになっている。ホッパ装置１２１の左側には電源部２０５を設けている。
【００２３】
図２に示すように、下扉１３０Ｌの背面にはメダル（コイン）セレクタ１が、下扉１３０Ｌ上面のメダル投入口１３２の下部に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２４】
また、メダルセレクタ１の下側には、図２に示すように、その下部側を覆って下扉１３０Ｌ下部の払出し口に連通する導出路１３６を設けている。メダルセレクタ１により振り分けられたメダルは、この導出路１３６を介して払出し口から遊技者に返却される。
【００２５】
スロットマシン筐体１２０の内部、リールユニット２０３の下側にはメイン基板１０が取り付けられている。メイン基板１０には、遊技に関する内部設定（例えば、複数の抽選テーブルのどれを使用するか）を行うための設定変更スイッチＳＳＷを設けている。上扉１３０Ｕの背面中央下部にはサブ基板２０が取り付けられている。
【００２６】
スロットマシン筐体１２０の内部の左上隅には低音スピーカーＳＰＬを設けるとともに、下扉１３０Ｌの下部には標準的な音域をカバーする２つのスピーカー（音響装置）ＳＰを設けている。
【００２７】
図３はスロットマシン１００の機能ブロック図を示す。
【００２８】
この図において電源系統についての表示は省略されている。図３では示していないが、スロットマシンは商用電源（ＡＣ１００Ｖ）から直流電源（＋５Ｖなど）を発生するための電源部（図２の電源部２０５）を備える。
【００２９】
スロットマシン１００は、その主要な処理装置としてメイン基板１０とこれからコマンドを受けて動作するサブ基板２０とを備える。メイン基板１０やサブ基板を含む基板は、外部から接触不能となるようにケース内部に収容され、これら基板を取り外す際に痕跡が残るように封印処理が施されている。具体的には、メイン基板１０とサブ基板２０はカシメにより一体となり取り付けられるとともに、メイン基板１０とサブ基板２０の全体を覆う一体のケースによりカバーされている。
【００３０】
メイン基板１０は、遊技者の操作を受けて内部抽選を行ったり、回胴の回転・停止やメダルの払い出しなどの処理（遊技処理）を行うためのものである。メイン基板１０は、予め設定されたプログラムに従って制御動作を行うＣＰＵと、前記プログラムを記憶する記憶手段であるＲＯＭおよび処理結果などを一時的に記憶するＲＡＭを含む。
【００３１】
サブ基板２０は、メイン基板１０からコマンド信号を受けて内部抽選の結果を報知したり各種演出を行うためのものである。サブ基板２０は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１０からサブ基板２０への一方のみであり、逆にサブ基板２０からメイン基板１０へコマンド等が出されることはない。サブ基板２０は、演出に用いる乱数を発生する手段を備えている。
【００３２】
以下、メイン基板とサブ基板について詳しく説明する。
【００３３】
＜メイン基板＞
メイン基板１０には、ベットスイッチＢＥＴ、スタートスイッチ１３４、ストップボタン１４０、リール（回胴）ユニット２０３、設定変更スイッチＳＳＷ、ホッパ駆動部８０、ホッパ８１及びホッパ８１から払い出されたメダルの枚数を数えるためのメダル検出部８２（これらは前述のホッパ装置１２１を構成する）が接続されている。
【００３４】
メイン基板１０には、さらに、メダルセレクタ１のメダルセンサＳ１及びＳ２が接続されている。
【００３５】
メダルセレクタ１には、メダルを計数するためのメダルセンサＳ１及びＳ２を設けている。メダルセンサＳ１及びＳ２は、メダルセレクタ１に設けられた図示しないメダル通路の下流側（出口近傍）に取り付けられている（メダル通路の上流側はメダル投入口１３２に連通している）。２つのメダルセンサＳ１とＳ２は、メダルの進行方向に沿って所定間隔を空けて並べて設けている。メダルセンサＳ１、Ｓ２は、例えば、互いに対向した発光部と受光部とを有して断面コ字状に形成され、その検出光軸をメダル通路内に上方から臨ませて位置するフォトインタラプタである。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。
【００３６】
リールユニット２０３は、３つの回胴４０ａ〜４０ｃと、これらをそれぞれ回転させるステッピングモータ１５５ａ〜１５５ｃと、それらの位置をそれぞれ検出する回胴位置検出器（インデックスセンサ）１５９ａ〜１５９ｃとを備える（なお、ステッピングモータ１５５ａ〜１５５ｃを単にモータ１５５あるいはモータと記すことがある）。
【００３７】
回胴制御手段１３００は、回胴４０ａ〜４０ｃそれぞれが１回転する毎にインデックスセンサ１５９で検出される基準位置信号に基づいて、回胴４０の基準位置（図示しないインデックスによって特定されるコマ）からの回転角度を求める（ステップモータの回転軸の回転ステップ数をカウントする）ことによって、現在の回胴４０の回転状態を監視することができるようになっている。すなわち、メイン基板１０は、回胴４０の基準位置からの回転角度を求めることにより、ストップボタン１４０の作動時における回胴４０の位置を得ることができる。
【００３８】
なお、以下の説明において、任意のひとつ又は複数の回胴を示すときは符号４０を使用し、３つの回胴をそれぞれ区別して示すときは符号４０ａ〜４０ｃを使用することにする。
【００３９】
ホッパ駆動部８０は、ホッパ８１の図示しない回転ディスクを回転駆動して、メイン基板１０によって指示された払出数のメダルを払い出す動作を行う。遊技機は、メダルを１枚払い出す毎に作動するメダル検出部８２を備えており、メイン基板１０は、メダル検出部８２からの入力信号に基づいてホッパ８１から実際に払い出されたメダルの数を管理することができる。
【００４０】
投入受付部（投入受付手段）１０５０は、メダルセレクタ１のメダルセンサＳ１とＳ２の出力を受け、遊技毎にメダルの投入を受け付けて、規定投入数に相当するメダルが投入されたことに基づいて、スタートスイッチ１３４に対する第１回胴〜第３回胴の回転開始操作を許可する処理を行う。なお、スタートスイッチ１３４の押下操作が、第１回胴〜第３回胴の回転を開始させる契機となっているとともに、内部抽選を実行する契機となっている。また、遊技状態に応じて規定投入数を設定してもよく、通常状態およびボーナス成立状態及びボーナス状態では規定投入数を３枚に設定する。
【００４１】
メダルが投入されると、遊技状態に応じた規定投入数を限度として、投入されたメダルを投入状態に設定する。あるいは、遊技機にメダルがクレジットされた状態で、ベットスイッチＢＥＴが押下されると、遊技状態に応じた規定投入数を限度して、クレジットされたメダルを投入状態に設定する。メダルの投入を受け付けるかどうかは、メイン基板１０が制御する。スタートスイッチ１３４が押下され各回胴の回転が開始した時点（遊技開始時点）から３つのストップボタン１４０が押下され各回胴の回転が停止した時点（入賞した場合はメダル払い出しが完了した時点）（遊技終了時点）の間であって、メダルの投入を受け付ける状態になっていないときは（許可されていないときは）、メダルを投入してもメダルセンサＳ１、Ｓ２でカウントされず、そのまま返却される。同様に、メイン基板１０は、メダルの投入を受け付ける状態か否かに応じて、ベットスイッチＢＥＴの有効／無効を制御する。また、前記遊技終了時点から前記遊技開始時点までの間でベットスイッチＢＥＴは有効となるが、これ以外の期間においては（ＢＥＴスイッチの押下が許可されていないときは）、ベットスイッチＢＥＴを押下しても、それは無視される。
【００４２】
メイン基板１０は、乱数発生手段１１００を内蔵する。乱数発生手段１１００は、抽選用の乱数値を発生させる手段である。乱数値は、例えば、インクリメントカウンタ（所定のカウント範囲を循環するように数値をカウントするカウンタ）のカウント値に基づいて発生させることができる。なお本実施形態において「乱数値」には、数学的な意味でランダムに発生する値のみならず、その発生自体は規則的であっても、その取得タイミング等が不規則であるために実質的に乱数として機能しうる値も含まれる。
【００４３】
内部抽選手段１２００は、遊技者がスタートスイッチ１３４からのスタート信号に基づいて、役の当否を決定する内部抽選を行う。すなわち、メイン基板１０のメモリ（図示せず）に記憶されている抽選テーブル（図示せず）を選択する抽選テーブル選択処理、乱数発生手段１１００から得た乱数の当選を判定する乱数判定処理、当選の判定結果で大当たりなどに当選したときにその旨のフラグを設定する抽選フラグ設定処理などを行う。
【００４４】
抽選テーブル選択処理では、図示しない記憶手段（ＲＯＭ）に格納されている複数の抽選テーブル（図示せず）のうち、いずれの抽選テーブルを用いて内部抽選を行うかを決定する。抽選テーブルでは、複数の乱数値（例えば、０〜６５５３５の６５５３６個の乱数値）のそれぞれに対して、リプレイ、小役（ベル、チェリー）、レギュラーボーナス（ＲＢ：ボーナス）、およびビッグボーナス（ＢＢ：ボーナス）などの各種の役が対応づけられている。また、遊技状態として、通常状態、ボーナス成立状態、およびボーナス状態が設定可能とされ、さらにリプレイの抽選状態として、リプレイ無抽選状態、リプレイ低確率状態、リプレイ高確率状態が設定可能とされる。
【００４５】
抽選テーブル選択処理により、抽選の内容は所定の範囲内で設定可能（当選の確率を高くしたり低くしたりできる）であり、遊技機が設置されるホールなどにおいて店側により設定作業が行われる。この設定作業で使用するスイッチが設定変更スイッチＳＳＷである。
【００４６】
通常の遊技機は、ＢＢ，ＲＢ、小役等の抽選確率の異なる複数（例えば６つ）の抽選テーブルを予め備える。遊技機の抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定の変更（以下、「設定変更」と記す）と称している。
【００４７】
従来、例えばスロットマシンのような遊技機では、設定値（通常１〜６）を変更する場合、遊技機の扉を開け、メイン基板１０に設けられた設定変更スイッチＳＳＷのキースイッチに設定変更キーを挿入して当該キースイッチをオンにした状態で遊技機の電源を投入して設定変更可能な状態にし、設定変更スイッチＳＳＷの設定変更ボタン（押ボタン）を１回押下するごとに、７セグメント表示器などに表示される設定値がインクリメントされて１〜６までの値を循環的に変化させ、所望する設定値が表示器に表示されたところでスタートスイッチを操作することで、所望する設定値を確定させている。
【００４８】
乱数判定処理では、スタートスイッチ１３４からのスタート信号に基づいて、遊技毎に乱数発生手段（図示せず）から乱数値（抽選用乱数）を取得し、取得した乱数値について前記抽選テーブルを参照して役に当選したか否かを判定する。
【００４９】
抽選フラグ設定処理では、乱数判定処理の結果に基づいて、当選したと判定された役の抽選フラグを非当選状態（第１のフラグ状態、オフ状態）から当選状態（第２のフラグ状態、オン状態）に設定する。２種類以上の役が重複して当選した場合には、重複して当選した２種類以上の役のそれぞれに対応する抽選フラグが当選状態に設定される。抽選フラグの設定情報は、記憶手段（ＲＡＭ）に格納される。
【００５０】
入賞するまで次回以降の遊技に当選状態を持ち越し可能な抽選フラグ（持越可能フラグ）と、入賞の如何に関わらず次回以降の遊技に当選状態を持ち越さずに非当選状態にリセットされる抽選フラグ（持越不可フラグ）とが用意されていることがある。この場合、前者の持越可能フラグが対応づけられる役としては、レギュラーボーナス（ＲＢ）およびビッグボーナス（ＢＢ）があり、それ以外の役（例えば、小役、リプレイ）は後者の持越不可フラグに対応づけられている。すなわち抽選フラグ設定処理では、内部抽選でレギュラーボーナスに当選すると、レギュラーボーナスの抽選フラグの当選状態を、レギュラーボーナスが入賞するまで持ち越す処理を行い、内部抽選でビッグボーナスに当選すると、ビッグボーナスの抽選フラグの当選状態を、ビッグボーナスが入賞するまで持ち越す処理を行う。このときメイン基板１０は、内部抽選機能により、レギュラーボーナスやビッグボーナスの抽選フラグの当選状態が持ち越されている遊技でも、レギュラーボーナスおよびビッグボーナス以外の役（小役およびリプレイ）についての当否を決定する内部抽選を行っている。すなわち抽選フラグ設定処理では、レギュラーボーナスの抽選フラグの当選状態が持ち越されている遊技において、内部抽選で小役あるいはリプレイが当選した場合には、既に当選しているレギュラーボーナスの抽選フラグと内部抽選で当選した小役あるいはリプレイの抽選フラグとからなる２種類以上の役に対応する抽選フラグを当選状態に設定し、ビッグボーナスの抽選フラグの当選状態が持ち越されている遊技において、内部抽選で小役あるいはリプレイが当選した場合には、既に当選しているビッグボーナスの抽選フラグと内部抽選で当選した小役あるいはリプレイの抽選フラグとからなる２種類以上の役に対応する抽選フラグを当選状態に設定する。
【００５１】
回胴制御手段１３００は、遊技者がスタートスイッチ１３４の押下操作（回転開始操作）によるスタート信号に基づいて、第１回胴〜第３回胴をステッピングモータにより回転駆動して、第１回胴〜第３回胴の回転速度が所定速度（約８０ｒｐｍ：１分間あたり約８０回転となる回転速度）に達した状態において回転中の回胴にそれぞれ対応する３つのストップボタン１４０の押下操作（停止操作）を許可する制御を行うとともに、ステッピングモータにより回転駆動されている第１回胴〜第３回胴を抽選フラグの設定状態（内部抽選の結果）に応じて停止させる制御を行う。
【００５２】
また、回胴制御手段１３００は、３つのストップボタン１４０に対する押下操作（停止操作）が許可（有効化）された状態において、遊技者が３つのストップボタン１４０を押下することにより、その回胴停止信号に基づいて、リールユニット２０３のステッピングモータへの駆動パルス（モータ駆動信号）の供給を停止することにより、第１回胴〜第３回胴の各回胴を停止させる制御を行う。
【００５３】
すなわち、回胴制御手段１３００は、３つのストップボタン１４０の各ボタンが押下される毎に、第１回胴〜第３回胴のうち押下されたボタンに対応する回胴の停止位置を決定して、決定された停止位置で回胴を停止させる制御を行っている。具体的には、記憶手段（ＲＯＭ）に記憶されている停止制御テーブル（図示せず）を参照して３つのストップボタンの押下タイミングや押下順序等（停止操作の態様）に応じた第１回胴〜第３回胴の停止位置を決定し、決定された停止位置で第１回胴〜第３回胴を停止させる制御を行う。
【００５４】
ここで停止制御テーブルでは、ストップボタン１４０の作動時点における第１回胴〜第３回胴の位置（押下検出位置）と、第１回胴〜第３回胴の実際の停止位置（または押下検出位置からの滑りコマ数）との対応関係が設定されている。滑りコマ数とは、回胴停止時にゲーム表示部から視認できる特定の図柄を基準位置としたときのストップボタン１４０の操作から対応する回胴の回転停止までの間に当該基準位置を通過する図柄の数をいう。回胴制御手段１３００は、各ストップボタン１４０の操作から１９０ｍｓ以内という条件下で各回胴を停止させるため、滑りコマ数は０以上４以下の範囲内となっている（ただし、８０回転／分、図柄数＝２１個の条件において）。抽選フラグの設定状態に応じて、第１回胴〜第３回胴の停止位置を定めるための停止制御テーブルが用意されることもある。
【００５５】
前述のように、回胴制御手段１３００は、回胴が１回転する毎にインデックスセンサ１５９で検出される基準位置信号に基づいて、回胴の基準位置（リールインデックスによって検出されるコマ）からの回転角度（ステップモータの回転軸の回転ステップ数）を求めることによって、現在の回胴の回転状態を監視することができるようになっている。すなわち、メイン基板１０は、ストップボタン１４０の作動時における回胴の位置を、回胴の基準位置からの回転角度を求めることにより得ることができる。
【００５６】
回胴制御手段１３００は、いわゆる引き込み処理と蹴飛ばし処理とを回胴を停止させる制御として行っている。引き込み処理とは、抽選フラグが当選状態に設定された役に対応する図柄が有効な入賞判定ライン上に停止するように（当選した役を入賞させることができるように）回胴を停止させる制御処理である。一方蹴飛ばし処理とは、抽選フラグが非当選状態に設定された役に対応する図柄が有効な入賞判定ライン上に停止しないように（当選していない役を入賞させることができないように）回胴を停止させる制御処理である。すなわち本実施形態の遊技機では、上記引き込み処理及び蹴飛ばし処理を実現させるべく、抽選フラグの設定状態、ストップボタン１４０の押下タイミング、押下順序、既に停止している回胴の停止位置（表示図柄の種類）などに応じて各回胴の停止位置が変化するように停止制御テーブルが設定されている。このように、メイン基板１０は、抽選フラグが当選状態に設定された役の図柄を入賞の形態で停止可能にし、一方で抽選フラグが非当選状態に設定された役の図柄が入賞の形態で停止しないように第１回胴〜第３回胴を停止させる制御を行っている。
【００５７】
本実施形態の遊技機では、第１回胴〜第３回胴が、ストップボタン１４０が押下された時点から１９０ｍｓ以内に、押下されたストップボタンに対応する回転中の回胴を停止させる制御状態に設定されている。すなわち回転している各回胴の停止位置を決めるための停止制御テーブルでは、ストップボタン１４０の押下時点から各回胴が停止するまでに要するコマ数が０コマ〜４コマの範囲（所定の引き込み範囲）で設定されている。
【００５８】
入賞判定手段１４００は、第１回胴〜第３回胴の停止態様に基づいて、役が入賞したか否かを判定する処理を行う。具体的には、記憶手段（ＲＯＭ）に記憶されている入賞判定テーブルを参照しながら、第１回胴〜第３回胴の全てが停止した時点で入賞判定ライン上に表示されている図柄組合せが、予め定められた役の入賞の形態であるか否かを判定する。
【００５９】
入賞判定手段１４００は、その判定結果に基づいて、入賞時処理を実行する。入賞時処理としては、例えば、小役が入賞した場合にはホッパ８１を駆動してメダルの払出制御処理が行われるか、あるいはクレジットの増加され（規定の最大枚数例えば５０枚まで増加され、それを超えた分だけ実際にメダル払い出される）、リプレイが入賞した場合にはリプレイ処理が行われ、ビッグボーナスやレギュラーボーナスが入賞した場合には遊技状態を移行させる遊技状態移行制御処理が行われる。
【００６０】
払出制御手段１５００は、遊技結果に応じたメダルの払い出しに関する払出制御処理を行う。具体的には、小役が入賞した場合に、役毎に予め定められている配当に基づいて遊技におけるメダルの払出数を決定し、決定された払出数に相当するメダルを、ホッパ駆動部８０でホッパ８１を駆動して払い出させる。この際に、ホッパ８１に内蔵される図示しないモータに電流が流れることになる。
【００６１】
メダルのクレジット（内部貯留）が許可されている場合には、ホッパ８１によって実際にメダルの払い出しを行う代わりに、記憶手段（ＲＡＭ）のクレジット記憶領域（図示省略）に記憶されているクレジット数（クレジットされたメダルの数）に対して払出数を加算するクレジット加算処理を行って仮想的にメダルを払い出す処理を行う。
【００６２】
リプレイ処理手段１６００は、リプレイが入賞した場合に、次回の遊技に関して遊技者の所有するメダルの投入を要さずに前回の遊技と同じ準備状態に設定するリプレイ処理（再遊技処理）を行う。リプレイが入賞した場合には、遊技者の手持ちのメダル（クレジットメダルを含む）を使わずに前回の遊技と同じ規定投入数のメダルが自動的に投入状態に設定される自動投入処理が行われ、遊技機が前回の遊技と同じ入賞判定ラインを有効化した状態で次回の遊技における回転開始操作（遊技者によるスタートスイッチ１３４の押下操作）を待機する状態に設定される。
【００６３】
リプレイ処理手段１６００は、所定条件下で内部抽選におけるリプレイの当選確率を変動させる制御を行うことがある。例えば、ストップボタン１４０の操作によって回胴を停止させた際に所定の出目が表示されるとリプレイの当選確率が変動する。リプレイの抽選状態として、リプレイが内部抽選の対象から除外されるリプレイ無抽選状態、リプレイの当選確率が約１／７．３に設定されるリプレイ低確率状態、およびリプレイの当選確率が約１／６に設定されるリプレイ高確率状態という複数種類の抽選状態を設定可能とされている。
【００６４】
エラー処理部１７００は、図示しない扉開閉検知センサ、メダルセンサＳ１及びＳ２及びメダル検出部８２の出力に基づき遊技機のエラー判定を行い、エラーと判定したときにその旨を報知するとともに、遊技機を所定の状態（例えば、操作を受け付けない状態）にする。
【００６５】
図示しない扉開閉検知センサは、前扉１３０（上扉１３０Ｕ、下扉１３０Ｌ）が閉じられたことを検知するセンサであり、例えばマイクロスイッチや接点などの電気的スイッチである。当該スイッチは前扉１３０（上扉１３０Ｕ、下扉１３０Ｌ）が閉じられたときに、前扉１３０（上扉１３０Ｕ、下扉１３０Ｌ）の裏側にスイッチの作用部が当接することでオン（又はオフ）になり、前扉１３０（上扉１３０Ｕ、下扉１３０Ｌ）が開放されると作用部が離れてオフ（又はオン）になるものである。扉開閉検知センサは、フォトインタラプタのような光学式のものでもよい。メダルセンサＳ１及びＳ２及びメダル検出部８２については前述した。
【００６６】
エラー処理部１７００は、具体的には次のような動作を行う。
・図示しない扉開閉検知センサの出力に基づき前扉１３０（上扉１３０Ｕ、下扉１３０Ｌ）の開放を検知したとき、エラー処理を行う。
・メダルセンサＳ１及びＳ２の出力に基づきメダルの逆流（センサＳ１とＳ２の検知順序が反対になったこと）、メダル滞留（センサＳ１とＳ２の検知時間が予め定められた閾値よりも長いこと）などを検知したとき、エラー処理を行う。
・メダル検出部８２の出力に基づきメダル詰まり（メダル検出部８２の検知時間が予め定められた閾値よりも長いこと）、ホッパーエンプティ（ホッパ駆動部８０を動作させているにもかかわらずメダル検出部８２がメダルを検知しない）などを検知したとき、エラー処理を行う。
【００６７】
エラー処理部１７００は、上記のようにエラーと判定したときにその旨を報知するとともに、遊技機を所定の状態（エラー状態）にするが、この状態は図示しないリセットスイッチにより解除される。リセットスイッチは、例えば電源部２０５のパネルに設けられる。
【００６８】
なお、サブ基板２０で生じるエラーもある。このエラーでは遊技不能状態にはならないが、サブ基板２０自身の処理によりエラーが生じたことを液晶表示装置などにより報知することができる。当該エラーは例えば不正なコマンドを受信したとき（暗号化されたコマンドが正しく復号化できなかったときを含む）に発生し、当該エラーは上記リセットスイッチにより解除される（メイン基板１０からサブ基板２０へリセットコマンドが送られる）。
【００６９】
ループ抽選手段１９００は、当選または落選のいずれかを決定するループ抽選（特定処理）を、抽選結果が落選となるまで実行する。ループ抽選の実行回数には上限回数が設定されており、ループ抽選手段１９００が、当該上限回数に達した場合には抽選結果に関わらずにループ抽選に係る処理を終了する（なお、上限回数が無い場合もある）。
【００７０】
ループ抽選手段１９００は、予め定められた契機、例えばスタートスイッチ１３４の押下を契機として、当選または落選を決定するループ抽選を行い、ループ抽選の結果が落選となるまで繰り返しループ抽選を実行する。ループ抽選では、例えば、内部抽選手段１２００と同様のやり方でループ抽選に当選したか否かを判定する。
【００７１】
ループ抽選に要する時間はループ回数すなわちループ抽選の実行回数に依存し、ループ回数は抽選結果に依存する。具体的にはループ回数は１回から上限回数の間のいずれかであるが、これは毎回変動し予測することができない。したがって、ループ抽選手段１９００の処理終了までに要する時間は不定であり、しかもその変動は遊技者に認識可能なほど長い（例えば数秒〜数十秒程度）。また、ループ回数に応じて抽選結果が変わることから、遊技者がループ抽選に要する時間を認識できる場合は、当該時間に基づき抽選結果を予想することも可能である。
【００７２】
また、メイン基板１０は、通常状態、ボーナス成立状態、およびボーナス状態の間で遊技状態を移行させる制御を行うことがある（遊技状態移行制御機能）。遊技状態の移行条件は、１の条件が定められていてもよいし、複数の条件が定められていてもよい。複数の条件が定められている場合には、複数の条件のうち１の条件が成立したこと、あるいは複数の条件の全てが成立したことに基づいて、遊技状態を他の遊技状態へ移行させることができる。
【００７３】
通常状態は、複数種類の遊技状態の中で初期状態に相当する遊技状態で、通常状態からはボーナス成立状態への移行が可能となっている。ボーナス成立状態は、内部抽選でビッグボーナスあるいはレギュラーボーナスに当選したことを契機として移行する遊技状態である。ボーナス成立状態では、通常状態における内部抽選でビッグボーナスが当選した場合、ビッグボーナスが入賞するまでビッグボーナスに対応する抽選フラグが当選状態に維持され、通常状態における内部抽選でレギュラーボーナスが当選した場合、レギュラーボーナスが入賞するまでレギュラーボーナスに対応する抽選フラグが当選状態に維持される。ボーナス状態では、ボーナス遊技によって払い出されたメダルの合計数により終了条件が成立したか否かを判断し、入賞したボーナスの種類に応じて予め定められた払出上限数を超えるメダルが払い出されると、ボーナス状態を終了させて、遊技状態を通常状態へ復帰させる。
【００７４】
リールユニット２０３は、３つの回胴４０ａ〜４０ｃを備えるが、３つの回胴４０ａ〜４０ｃそれぞれにひとつづつステッピングモータ１５５ａ〜１５５ｃが取り付けられている。ステッピングモータ１５５は、回転子（ロータ）として歯車状の鉄心あるいは永久磁石を備え、固定子（ステータ）として複数の巻線（コイル）を備え、電流を流す巻線を切り替えることによって回転動作させるものである。すなわち、固定子の巻線に電流を流して磁力を発生させ、回転子を引きつけることで回転するものである。回転軸を指定された角度で停止させることが可能なことから、スロットマシンの回胴の回転駆動に使用されている。複数の巻線がひとつの相を構成する。相の数として、例えば、２つ（二相）、４つ（４相）、５つ（５相）のものもある。
【００７５】
ステッピングモータは、各相の巻線への電流の与え方を変えることにより、特性を変えることができる（励磁モードが変わる）。二相型については次の通りである。
【００７６】
・一相励磁
常に巻線一相のみに電流を流す。位置決め精度は良い。
【００７７】
・二相励磁 
二相に電流を流す。一相励磁の約２倍の出力トルクが得られる。位置決め精度は良く、停止したときの静止トルクが大きいため、停止位置を確実に保持できる。
【００７８】
・一−二相励磁 
一相と二相を交互に切り替えて電流を流す。一相励磁・二相励磁の場合のステップ角度の半分にすることができるので、滑らかな回転を得られる。
【００７９】
なお、ステッピングモータを「駆動する」とは、当該モータを上記励磁により回転させることとともに、所望の位置で停止させその位置を保持するために各相を励磁することも含むものとする。
【００８０】
スロットマシンの回胴４０ａ〜４０ｃの駆動に関して、例えば、４相の基本ステップ角度１．４３度のステッピングモータを使用し、パルスの出力方法として一−二相励磁を採用している。
【００８１】
１０ＣＧは、サブ基板２０へ送るコマンドを送信するコマンド送信部である。このコマンドには、当選役の情報に関するコマンド、メダル投入枚数やクレジット枚数（貯留枚数）の情報に関するコマンドなどがある。コマンド送信部１０ＣＧは、具体的には、メイン基板１０に搭載されたＲＯＭに予め書き込まれたプログラムをＣＰＵが実行することで実現される。コマンド送信については、後に説明を加える。
【００８２】
＜サブ基板＞
サブ基板２０には、液晶パネルＬＣＤ１及びＬＣＤ２、ＬＥＤ２０２Ｂ、２０２Ｕ及び２０２Ｌ、スピーカー（音響装置）ＳＰ、低音スピーカーＳＰＬ、ソレノイドＳＮ、モータＭＵ及びＭＬ、センサＳＥＮＵ及びＳＥＮＬ、スイッチＳＷが接続されている。ＬＥＤ２０２Ｂ、２０２Ｌ、２０２Ｕは、データを取得し保持するラッチと電飾であるＬＥＤを内蔵している（ＬＥＤは基板の外部に設けられることもある）。これらの構成要素は、サブ基板２０により制御されるものであり、映像、光、音響、可動体の動作により演出を行う出力装置、あるいは、可動体の動作を検知するための入力装置または遊技者による操作を受け付ける入力装置である。
【００８３】
図示は省略しているが、機種固有ブロックＢＢ及び下扉ブロックＢＬには、液晶パネルＬＣＤ２を制御するためのビデオコントローラ（ＶＤＣ）、スピーカーＳＰ、スピーカーＳＰを駆動して音響を発生させるためのサウンドコントローラ（音響制御部）、ソレノイドＳＮ、モータＭＵ及びＭＬを駆動するための駆動回路（図示しない）を内蔵している。
【００８４】
上述した液晶パネルなどの構成要素は、低音スピーカーＳＰＬを除き、スロットマシン筐体１２０に内蔵される機種固有ブロックＢＢ、上扉１３０Ｕに対応して設けられる上扉ブロックＢＵ、下扉１３０Ｌに対応して設けられる下扉ブロックＢＬの３つのいずれかに区別されて設けられる。
【００８５】
図３の例では、機種固有ブロックＢＢはソレノイドＳＮ、スピーカーＳＰ及びＬＥＤ２０２Ｂを含み、上扉ブロックＢＵは、液晶パネルＬＣＤ１、ＬＥＤ２０２Ｕ、モータＭＵ及びこれによる可動体の動作を検知するセンサＳＥＮＵを含み、下扉ブロックＢＬは、液晶パネルＬＣＤ２、スピーカーＳＰ、ＬＥＤ２０２Ｌ、モータＭＬ、モータＭＬによる可動体の動作を検知するセンサＳＥＮＬ、カーソルキーなどのスイッチＳＷを含む。なお、液晶パネルＬＣＤ２全体がモータＭＬにより若干前後に移動可能に構成され、液晶パネルＬＣＤ２が前に出た状態で遊技者がこれを押すという操作が可能な場合がある。この場合、下扉ブロックＢＬのスイッチＳＷは液晶パネルＬＣＤ２の押下を検知するスイッチを含む。
【００８６】
＜メイン基板からサブ基板へのコマンド伝送＞
サブ基板２０はメイン基板１０からコマンドをうけ、これに従って演出等の処理を行う。コマンドの流れはメイン基板１０からサブ基板２０への一方のみであり、逆にサブ基板２０からメイン基板１０へコマンド等が出されることはない。
【００８７】
サブ基板２０は、メイン基板１０からのコマンドに従い、例えば、予め定められた画面を液晶パネルＬＣＤ１、ＬＣＤ２に表示させるためのコマンド（表示コマンド、描画コマンド）を発生させる。例えば、アニメーションなどにより演出を行う際には、多数のコマンドを連続的に次々と送信する。
【００８８】
図３において、２０ＣＲは、メイン基板１０から受けたコマンドを受信するコマンド受信部である。コマンド受信部２０ＣＲは、具体的には、サブ基板２０に搭載されたＲＯＭに予め書き込まれたプログラムをＣＰＵが実行することで実現される。
【００８９】
コマンド受信部２０ＣＲは、例えば、シリアルデータとして受けたコマンドを直列−並列変換器（シフトレジスタ）に入力し、一定のデータ（例えば８ビット）ごとに出力する。この出力されたデータがコマンドとしてサブ基板２０のＣＰＵに渡され、解釈・実行される。
【００９０】
上記コマンドとして、サブ基板２０側のソフトウエアで当選内容を示唆する演出を行うためのものがある。例えば、下記ＡＴのように、出玉を得るための示唆を液晶表示装置等の表示装置に表示して遊技者の操作の便宜の提供（アシスト）を図っている。当該示唆は常時出されるわけではなく、特定の場合に出される。なお、メイン基板からのコマンドに基づきサブ基板がＡＴの表示（報知）を行う形態に限定されない。例えばメイン基板が、メイン基板の管理下にある表示器（報知手段）によりＡＴの表示（報知）を行うこともある。以下の説明は、そのような形態についても適用される。
【００９１】
遊技機は、液晶表示装置、スピーカーや表示ランプ等からなる演出表示装置を備える。この演出表示装置はサブ基板２０により制御され、遊技者に入賞等を報知したり、いわゆるアシストタイム（ＡＴ）において、一定ゲーム間に特定の小役を遊技機自体が何らかのアクションを伴ってユーザに教えたりするためのものである。（アシストタイム（ＡＴ）：特定の小役が当選しても遊技者がこの小役に対応する図柄組合せを入賞判定ライン上に揃えないと払い出しがない。小役による払い出しを確実にするために、ビッグボーナス終了後（もしくは当選時）あるいはその他の任意の契機にアシストタイムを抽選し、これに当選すると一定ゲーム間は特定の小役に対応する図柄組合せを入賞判定ライン上に揃えさせるための停止操作を何らかのアクションを伴って遊技者に教えるという機能）
【００９２】
上記コマンドとして、ループ抽選手段１９００の結果を示唆する演出を行うものがある。この演出は例えば、ループ抽選によるいわゆる上乗せを示唆する画像や動画を液晶パネルＬＣＤ１に表示するものである。発明の実施の形態では、ループ抽選の実行前にメイン基板１０から送られてくるコマンド（予告コマンド）に従い上記画像や動画の表示を開始するとともに、ループ抽選の結果を示すコマンド（上乗せ情報）を受けてループ抽選の具体的な結果（上乗せ結果）を示唆する上記画像や動画を表示する。
【００９３】
次に、メイン基板１０における遊技処理について図４を参照して説明を加える。
一般的に、遊技機において、メダルの投入（クレジットの投入）に始まり、払い出しが終了するまで（又はクレジット数の増加が終了するまで）が一遊技である。一遊技が終了するまでは次回の遊技に進めないという決まりがある。
【００９４】
先ず、規定枚数のメダルが投入されることでスタートスイッチ１３４が有効になり、図４の処理が開始される。
【００９５】
ステップＳ１において、スタートスイッチ１３４が操作されることにより、スタートスイッチ１３４がＯＮとなる。そして、次のステップＳ２に進む。
【００９６】
ステップＳ２において、メイン基板１０により抽選処理が行われる。そして、次のステップＳ３に進む。
【００９７】
ステップＳ３において、第１リール〜第３リールの回転が開始する。そして、次のステップＳ４に進む。
【００９８】
ステップＳ４において、ストップボタン１４０が操作されることにより、ストップボタン１４０がＯＮとなる。そして、次のステップＳ５に進む。
【００９９】
ステップＳ５において、第１リール〜第３リールのうち押下されたストップボタン１４０に対応するリールについて回転停止処理が行われる。そして、次のステップＳ６に進む。
【０１００】
ステップＳ６において、三個のリールに対応するストップボタン１４０の操作が行われたか否かが判定される。そして、三個のリールに対応する３つのストップボタン１４０すべての操作が行われたと判定された場合、次のステップＳ７に進む。
【０１０１】
ステップＳ７において、抽選フラグ成立中に当該抽選フラグに対応する図柄組合せが有効入賞ライン上に揃ったか否か、すなわち、入賞が確定したか否かが判定される。そして、入賞が確定したと判定された場合、次のステップＳ８に進む。なお、入賞が確定しなかったときは、抽選フラグが成立していてもメダルの払い出しは行われない。
【０１０２】
ステップＳ８において、入賞判定ライン上に揃った図柄組合せに相当するメダルが払い出される。
【０１０３】
メダルの投入からステップＳ８の実行完了までが、一遊技である。ステップＳ８の待機処理が終了すると、処理はフローチャートの最初に戻る。言い換えれば、次の遊技が可能な状態になる（次遊技へ移行する）。
【０１０４】
上述の遊技機は、上扉ブロックＢＵ、下扉ブロックＢＬのように複数のブロックに分離され、それぞれ独立に組み込みあるいは取り外しできるようになっている（分離筐体）。一部のブロック、例えば、下扉ブロックＢＬを組み込んでいない状態での製造、出荷、設置が行われることもある。
【０１０５】
ループ抽選（特定処理）に係る演出（上乗せ演出）について説明を加える。
【０１０６】
上乗せの表示の演出においては、（１）上乗せの画面の開始のための情報（予告コマンド）、（２）上乗せのための情報（リールの第３停止後に見せる上乗せ結果の表示のための情報など）という２つの情報が必要である。これら（１）（２）の送信タイミングについて、図５を参照して説明する。図５（ａ）と（ｂ）はループ抽選に要する時間が異なる点を除き、同じものである（前述のようにループ抽選に要する時間はループ回数すなわちループ抽選の実行回数に依存し、図５（ａ）よりも同図（ｂ）の方がループ抽選に要する時間が長い）。
【０１０７】
ループ抽選手段１９００は、スタートスイッチ１３４の押下を契機としてループ抽選の処理を開始する（時刻ｔ１）。
【０１０８】
図５（ａ）の場合は時刻ｔ２でループ抽選が終わり、上記（１）（２）の情報をサブ基板２０へ送信する。これを受けてサブ基板２０は上乗せ画面を表示する。図５（ｂ）の場合は時刻ｔ２’でループ抽選が終わり、上記（１）（２）の情報をサブ基板２０へ送信する。これを受けてサブ基板２０は上乗せ画面を表示する。
【０１０９】
ループ抽選に要する時間は不定であるため、ｔ２とｔ２’は異なる。したがって、図５に示すように（ａ）と（ｂ）では上乗せ画面の表示の開始タイミングが異なる。このためスタートスイッチ１３４の押下後すぐに上乗せ画面の最初の画面が表示されたり、押下後しばらく時間をおいて上乗せ画面の最初の画面が表示されるというように、ループ抽選に要する時間に応じてループ抽選に係る演出の開始にタイムラグが生じる。前述のようにｔ２とｔ２’の差が数秒から数十秒になることもあり、この差は遊技者にとって認識可能である。ループ抽選に要する時間は上乗せの内容に関連するから、図５（ａ）のようにループ抽選に要する時間が短いと上乗せが少なく、図５（ｂ）のように長いと上乗せが多いというように、演出の開始時においてその上乗せ数がある程度遊技者に推測されてしまうという問題がある（いわゆる上乗せ結果の先バレ）。以上の点を踏まえて、発明の実施の形態では次のような構成・処理を採用している。
【０１１０】
図６は、発明の実施の形態に係る遊技機のループ抽選処理とそのコマンド送信系統を示すブロック図である。同図の各要素はＩＣなどのハードウエア又はＣＰＵがプログラムを実行することによるソフトウエアで実現される。図７は、その処理フローチャートである。
【０１１１】
所定の契機、具体的にはスタートスイッチ１３４の押下に基づき図６及び図７の処理が開始される（図６の第１送信処理部３００への入力、図７のＳ１００）。
【０１１２】
３００は、ループ抽選処理の実行前に、ループ抽選処理に関連する処理の開始に係る予告コマンド（第１情報、上乗せを行う旨の情報）ＣＭＤ１を送信する第１送信処理部である。第１送信処理部３００はループ抽選開始の所定の契機に基づき予告コマンドをサブ基板２０へ送信する（図７のＳ１０１）。
【０１１３】
予告コマンドの送信後、ループ抽選手段１９００はループ抽選を開始する（図６のループ抽選手段１９００への入力、図７のＳ１０２）。ループ抽選手段１９００は、当選または落選のいずれかを決定するループ抽選を、抽選結果が落選となるまで実行する。ループ抽選手段１９００は、ループ回数を管理するためにループ処理部１９００ｂを備える。ループ処理部１９００ｂは図示しないがカウンタを含む。ループ抽選の実行回数には上限回数が設定されており、当該上限回数に達した場合にはループ処理部１９００ｂは抽選結果に関わらずにループ抽選に係る処理を終了させる。ループ抽選後に第２送信処理部３０１が動作を開始する（図６の第２送信処理部３０１への入力、図７のＳ１０３の処理が開始する）。
【０１１４】
３０１は、ループ抽選処理の終了後に、ループ抽選処理の結果に対応する演出（処理）の実行に係る情報、具体的には上乗せのための情報（第２情報、処理の具体的な態様を指定するための情報）ＣＭＤ２を送信する第２送信処理部である。第２送信処理部３０１はループ抽選手段１９００によるループ抽選処理の終了を契機として動作し、上乗せのための情報をサブ基板２０へ送信する（図７のＳ１０３）。
【０１１５】
サブ基板（処理部）２０は、予告コマンド（第１情報）ＣＭＤ１及び上乗せのための情報（第２情報）ＣＭＤ２に基づき、所定の演出を実行する。例えば、予告コマンド（第１情報）ＣＭＤ１によりループ抽選に係る画像や動画（上乗せ開始画像）を液晶パネルＬＣＤ１に表示する。上乗せのための情報（第２情報）ＣＭＤ２に従いループ抽選の具体的な結果を示唆する画像や動画（上乗せ結果画像）を表示する。
【０１１６】
図６の構成又は図７の処理により、サブ基板２０は、ループ抽選処理の処理終了までに要する時間が不定であっても、ループ抽選処理の終了のタイミングに依存することなく、予め定められた一定のタイミングでループ抽選による上乗せを示唆する演出を開始することがある。この点について、図８のタイミングチャートを参照して説明を加える。
【０１１７】
上乗せの表示の演出においては、（１）上乗せの画面の開始のための情報（予告コマンド）ＣＭＤ１、（２）上乗せのための情報（リールの第３停止後に見せる上乗せ結果の表示のための情報など）ＣＭＤ２という２つの情報が必要である。図８では、これら（１）（２）をそれぞれ異なる送信タイミングでサブ基板２０へ送っている。図８（ａ）と（ｂ）はループ抽選に要する時間が異なる点を除き、同じものである。
【０１１８】
スタートスイッチ１３４の押下を契機として第１送信処理部３００は（１）予告コマンドＣＭＤ１を送信する。これを受けてサブ基板２０はループ抽選の上乗せ画面の表示を開始する。この画面はループ抽選の開始画面である。予告コマンドＣＭＤ１の送信に引き続いてループ抽選手段１９００はループ抽選の処理を開始する。正確には、スタートスイッチ１３４の押下ｔ１に対して、ループ抽選の処理は（１）予告コマンドＣＭＤ１の送信処理（Ｓ１０１）に相当する分だけ遅延する。
【０１１９】
図８（ａ）の場合は時刻ｔ２でループ抽選が終わる。そして、第２送信処理部３０１は（２）上乗せのための情報ＣＭＤ２をサブ基板２０へ送信する。これを受けてサブ基板２０は上乗せ画面を表示する。この画面はループ抽選の結果を示す画面である。図８（ｂ）の場合は時刻ｔ２’でループ抽選が終わり、上記（２）の情報をサブ基板２０へ送信する。これを受けてサブ基板２０は上乗せ画面（結果画面）を表示する。
【０１２０】
ループ抽選に要する時間は不定であるためｔ２とｔ２’は異なり、上記（２）の送信タイミングは異なるが、上記（１）の送信タイミングは同じである。ループ抽選に係る演出の開始タイミングを一定にすることができる。図５では上乗せ画面の開始タイミングが異なるが、図８では一定である（ｔ１の直後）。これにより、図８では遊技者がループ抽選の結果の推測（上乗せ結果の先バレ）を防止し、興趣を損なうことがなくなる。
【０１２１】
そして、発明の実施の形態によれば、処理終了までに要する時間が不定である抽選処理を行う遊技機において、その処理時間の変動にも関わらず、抽選結果に係る処理の開始タイミングを一定にすることができるとともに、抽選処理と無関係な演出を行うことがなく遊技者の興趣を維持できる。
【０１２２】
なお、図８の例では予告コマンドＣＭＤ１の送信をスタートスイッチ１３４の押下と同時に行っていたが、発明の実施の形態はこれに限定されない。ループ抽選に係る演出の開始タイミングを一定にできればよく、遅らせることもできる。図９の例では、スタートスイッチ１３４の押下ｔ１よりも遅れて時刻ｔ１”で予告コマンドＣＭＤ１を送信している。あるいは、送信タイミングをｔ１のままとして、サブ基板２０での演出開始を遅らせるようにしてもよい。この遅延時間（ｔ１”−ｔ１）は、興趣を維持できる程度に短い間隔（ブランク）であればよいが、ループ抽選が早期に終了する可能性も考慮して、ループ処理部１９００ｂのループ処理に要する時間程度あるいはその数倍程度であれば問題無いと考えられる。
【０１２３】
ところで、スロットマシン等の遊技機には、指定試験機関における型式試験が義務付けられている。型式試験において、遊技機と試験装置との間は、図１０のようにインタフェース基板が設けられる。図１０は遊技機のブロック図を示す。図３と同じ部分には同じ符号を付しているがスペースの関係上、一部の要素の表示を省略している。
【０１２４】
具体的には、遊技機のメイン基板１０から試験装置ＴＤへ信号を入力させるとともに、試験装置ＴＤからメイン基板１０へ信号を入力させるためのインターフェースボード（第１インターフェース基板）ＩＦ１が設けられる。これにより、遊技機から試験装置に、遊技機に具備する回胴すなわち各リールのインデックス信号や各リールを駆動させるステッピングモータの励磁パルス信号等を入力させるとともに、試験装置から遊技機に、各リールを始動させるスタートレバー操作に代替させるリールスタートスイッチ信号やリールを停止させるストップボタン操作に代替させるストップスイッチ信号等を出力させ、人手による遊技操作を極力少なくしながら、長期間にわたり実際の遊技に近い試射試験が行えるようにしている。
【０１２５】
内部抽せんで決定した当せん役に対応した図柄の組合せを表示させるストップボタンの押し順や狙うべき図柄等を液晶表示装置等に表示させるアシストタイム（ＡＴ）の機能を搭載した５号機下でのＡＴ機やＡＲＴ機が人気を博するに至り、ＡＴが出玉に影響することから、サブ側で決定するＡＴ作動下でのストップボタンの押し順等を試験装置に取り込み、その押し順どおりのストップスイッチ信号を試験装置から遊技機に出力して試験を行うようになった。このため、サブ基板２０から試験装置ＴＤへ信号を入力させるためのインターフェースボード（第２インターフェース基板）ＩＦ２が設けられる。インターフェースボードＩＦ２には、試験装置の仕様に合わせてリールスタートスイッチ信号から所定時間内に所定のシーケンスに従って押し順信号等を送る信号処理用のＣＰＵが設けられ、試験装置に押し順信号等を取り込んで、インターフェースボードＩＦ１を介してメイン基板１０に押し順信号どおりのストップスイッチ信号を出力し、遊技者に最も有利になる出玉試験をも行うようになっている。
【０１２６】
最近、ＡＴの出玉に及ぼす影響が大であることから、サブ基板２０ではなく、メイン基板１０でＡＴの作動の可否を決定すると共に押し順等のＡＴ指示情報を決定し、ＡＴを主基板で管理するメインＡＴへの移行が推奨されている。メインＡＴの押し順信号等は、サブ基板２０からインターフェースボードＩＦ２を介して試験装置ＴＤへ入力される。
【０１２７】
ところで、インターフェースボードＩＦ２を介して試験装置ＴＤへ入力される試験用コマンド（以下「ＩＦ２試験用コマンド」）は、スタートスイッチの押下（リールスタートスイッチ信号）から所定時間以内（例えば２秒以内）に送られなければならないと定められている。
【０１２８】
しかし、ループ抽選に要する時間はループ回数すなわちループ抽選の実行回数に依存するから、ループ回数が大きくなったときは所定時間以内での信号送信ができないおそれがある。このことを図１１のタイミングチャートを参照して説明する。なお、図１１おいては演出処理の表示は省略している。
【０１２９】
ループ抽選手段１９００は、スタートスイッチ１３４の押下を契機としてループ抽選の処理を開始する（時刻ｔ１）。
【０１３０】
図１１（ａ）の場合は時刻ｔ２でループ抽選が終わり、前述の（１）（２）の情報をサブ基板２０へ送信するとともに、ＩＦ２試験用コマンドをサブ基板２０へ送信する（ｔ３）。ループ抽選に２秒以上要するときは所定時間以内にＩＦ２試験用コマンドを送信ができない。
【０１３１】
図１１（ｂ）の場合はループ抽選の前の時刻ｔ１でＩＦ２試験用コマンドをサブ基板２０へ送信するので、ループ抽選の処理時間の影響を受けず、規定時間内に信号送信ができる。しかし、図１１（ｂ）では、図５で説明したような問題が生じる。
【０１３２】
そこで、図１２の構成・図１３の処理を採用することにより、遊技者がループ抽選の結果の推測（上乗せ結果の先バレ）を防止するとともに、ＩＦ２試験用コマンドを規定時間内に送信できる。
【０１３３】
図１２と図１３は、それぞれ図６と図７に対応し、同一相当部分には同一符号を付しその説明は省略する。
【０１３４】
３０２は、予告コマンドＣＭＤ１の送信後であって、ループ抽選処理の実行前に、ＩＦ２試験用コマンドＣＭＤ３を送信する第３送信処理部である。第３送信処理部３０２は、第１送信処理部３００の処理後にＩＦ２試験用コマンドＣＭＤ３をサブ基板２０へ送信する（図１３のＳ１０１ｂ）。
【０１３５】
図１１と図１３によれば処理タイミングチャートは図１４のようになり、上乗せ結果の先バレの防止とともに、ＩＦ２試験用コマンドの送信を適正なタイミングに行うことができる。
【０１３６】
以上の説明では、上記（１）と（２）のように情報が予め分離していた。これに限らず、一体の情報であっても、直ちに送るべき情報と後に送るべき情報（遅れて送信しても構わない情報）の両方が混在しているとき、これらを分離し、それぞれ好ましいタイミングで送信するようにしてもよい。図１５はそのための構成を示す。図１５において、図１１と同一相当部分には同一符号を付し、その説明は省略する。
【０１３７】
１１０は、遊技に係る演出の情報を生成する演出処理部である。この情報には、前述の（１）（２）のような情報が含まれている（ただし混在している）。
【０１３８】
１１１は、演出処理部１１０が生成した情報を直ちに送るべき第１情報と、第１情報の後に送るべき（遅れても構わない）第２情報とに分ける情報分離部である。演出処理部１１０の処理において先に確定する情報があれば、これを第１情報とすることができる。
【０１３９】
図１５では、第１情報として予告コマンドＣＭＤ１、第２情報として上乗せのための情報ＣＭＤ２を示している（例示である）。予告コマンドＣＭＤ１は第１送信処理部３００により送信され、上乗せのための情報ＣＭＤ２は第２送信処理部３０１により送信される。
【０１４０】
図１５によれば、複数の情報をそれぞれ好ましいタイミングで送信することができる。
なお、ループ抽選手段１９００のループ抽選の実行回数には上限回数が設定されているとしたが、上限回数が無い場合もある。上限回数が無い場合はループ抽選処理の終了までより長い時間を要することがあり得るが、このような場合にも本発明の実施の形態を適用することができる。
【０１４１】
＜パチンコ機への適用＞
以上の説明においてスロットマシンを例に取り説明を加えたが、この発明の実施の形態はパチンコ機のような他の遊技機についても適用できる。
【０１４２】
パチンコ機（弾球遊技機）について図１６、図１７及び図１８を参照して簡単に説明を加える。パチンコ機は、主要部材として外枠５０、本体部材５１、開口枠扉５２を備える。開口枠扉５２は、その開口部にガラス製又は樹脂製からなる透明板部材が設けられ、開口部周辺に電飾（図示なし）、スピーカー５２ｂ、球受皿５３などが取り付けられている。
【０１４３】
遊技盤１０Ｂは、本体部材５１の空間部に臨むように、本体部材５１に所定の固定部材を用いて着脱自在に装着されている。遊技盤１０Ｂの盤面１１は、誘導レール１２と、誘導レール１２で区画された略円形の遊技領域を落下した遊技球を外部へ導く排出口（アウト口）１３を備える矩形の盤面である。排出口１３の内部にはアウト球センサ１３Ｓが設けられている（図１７）。
【０１４４】
図１７に示すように、盤面１１は、演出用表示ランプやＬＣＤ（液晶表示装置）などの可変表示部をひとつ又は複数有する可変表示装置（センター役物）３０ａ、スルーチャッカー３０ｂ、普通入賞装置（図示なし）、始動入賞口を有するスタートチャッカー（始動入賞装置）３０ｄ、大入賞口を有するアタッカー３０ｃ、３０ｅを備える。３０ｂ、３０ｃ、３０ｄ、３０ｅの内部には球通過検出器２０ｂ、２０ｃ、２０ｄ、２０ｅが設けられている。
【０１４５】
盤面１１には、入賞装置３０、図示しない釘や風車などの障害物とともに、興趣を高めるための様々なデザインの装飾部材が設けられている。
【０１４６】
図１８は本発明の実施の形態に係る遊技機の機能ブロック図である。
【０１４７】
主制御装置（メイン基板）１０１及び副制御装置（サブ基板）２００は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、以下に説明するように動作する。
【０１４８】
１００は、遊技に係る処理を行う主制御装置である。主制御装置１０１は、電気的な遊技制御の処理を行い主要な処理情報を生成する。主制御装置１０１は、遊技領域を移動（流下）して入賞装置３０ｂ〜３０ｄを通過した入賞球をそれぞれ検出する球通過検出器２０ｂ〜２０ｄの信号を入力とし、入賞装置３０ｂ〜３０ｄの入賞球通過に応じた抽選・判定を行う。
【０１４９】
１１１０は、スタートチャッカー（始動入賞口）３０ｄを遊技球が通過したこと（正確にはその内部に設けられたセンサ２０ｄで検知されたこと）が検出されたことに基づいて乱数を取得する乱数取得部である。乱数取得部１１１０は、カウンタを含むハード乱数発生器１１２０及びプログラムにより動作するソフト乱数発生器１１３０のいずれか又は両方を備える。
【０１５０】
１２１０は、乱数取得部１１１０により取得された乱数にもとづいて、特別図柄表示装置１１９に図柄を変動表示させる図柄変動制御部である。
【０１５１】
１３１０は、特別遊技制御部である。特別遊技制御部１３１０は、乱数取得部１１１０により取得された乱数が当選乱数（大当たり）であることを条件に、特別図柄表示装置１１９に予め設定された賞態様を構成する図柄を停止表示させた後、遊技者に有利な特別遊技を行わせる。
【０１５２】
１４１０は、確率変動遊技制御部である。確率変動遊技制御部１４１０は、特別遊技制御部１３１０による特別遊技の終了後、乱数取得部１１１０により当選乱数を取得する可能性を増加させる確率変動遊技を行わせる。変動表示した図柄は、所定時間後に乱数取得部１１１０により取得された乱数に基づきはずれ又は大当たりの図柄で停止表示する。
【０１５３】
１５１０は、特別図柄表示装置１１９に図柄を変動表示させている間に遊技球がスタートチャッカー（始動入賞装置）３０ｄを通過した場合に、所定個数を限度としてその遊技球が通過したことに基づき抽出された乱数を記憶し、図柄の変動表示が終了した後に記憶した乱数に基づき図柄の変動表示を行うことを可能にする保留処理部である。
【０１５４】
１６１０は、先読み処理部である。先読み処理部１６１０は、各保留球について、それらが大当りに係るものであるか否かを判定する。始動入賞の乱数抽出のタイミングで保留球の記憶内容である乱数を仮判定し（先読みし）、その結果を副制御装置２００へ送っている。
【０１５５】
１１０ａは、遊技利益として入賞装置３０ｃ〜３０ｅと普通入賞装置（図示なし）の遊技球入賞に応じた及び／又はこれによる抽選・判定の結果に応じた所定数の遊技球を払出すための払出制御装置である。
【０１５６】
１１０ｂは、払出制御装置１１０ａを制御するための払出制御基板である。
【０１５７】
１４１は、遊技者から視認できるように遊技機の盤面に設けられた状態表示装置である。状態表示装置１４１は、ラウンド数を表示するラウンド数表示部１５０と保留数を表示する保留数表示部１６０を含む。保留数表示部１６０は、遊技盤に配置され、図柄の変動表示中に保留球を表示するものである。
【０１５８】
１１９は、状態表示装置１４１に設けられた表示装置（例えば７セグメント表示器など）である特別図柄表示装置である。
【０１５９】
１３０は、状態表示装置１４１に設けられた表示装置（例えば７セグメント表示器など）である普通図柄表示装置である。
【０１６０】
２００は、主制御装置１０１にて生成した処理情報を得ることにより、可動体の駆動、光の点滅・音響の発生などの演出を含む所定の出力態様処理をさせる制御を行う副制御装置である。
【０１６１】
２１００は、画像表示装置２１０を制御して演出に係る画像、遊技状態に係る画像、現在の遊技状態の表示や、エラー表示、保留表示等を行う演出図柄制御部である。なお、特別図柄表示装置１１９の変動中は、特別図柄表示装置１１９に同期して変動表示から変動停止を行う。
【０１６２】
２２００は、遊技盤１０Ｂに設けられた可動体２２０を制御する役物駆動部である。
【０１６３】
２３００は、遊技盤１０Ｂ、可変表示装置３０ａあるいは遊技機筐体などに設けられたランプ・電飾２３０などを点灯制御するためのランプ制御部である。
【０１６４】
２４００は、音発生装置２４０を制御する音制御部（音響制御部）である。
【０１６５】
２５００は、先読み処理部１６１０からの判定結果に基づき先読み関する演出を行う先読み演出処理部である。例えば、画像表示装置２１０の当たりに相当する保留球に対応する表示（保留球表示の発光色など）を他のものと異ならせることにより、当該保留球が当たりの可能性が高いことを示唆する、あるいは当たりであることを報知する。
【０１６６】
２６００は、リアルタイムクロック２７００の出力（時刻信号）に基づき主制御装置１０１の遊技状態とは関係のない演出である特定演出に関する処理を行う特定演出処理部である。例えば、毎正時あるいは予め定められた時刻に、遊技状態とは独立して所定の楽曲が流されるとともに、そのビデオ映像が画像表示装置２１０に表示される。
【０１６７】
２７００は、時刻信号を出力するリアルタイムクロックである。
【０１６８】
２１０は、液晶表示装置（ＬＣＤ）などの画像表示装置である。
【０１６９】
２２０は、可動体である。可動体２２０は、例えば、通常状態とこれと異なる状態の２つを相互に行き来するものである。可動体とは、例えば、平板状、円柱状、円盤状、凹凸を有する歯車状、等のものである。なお、図示しないが可動体２２０を駆動するための動力部を備える。
【０１７０】
画像表示装置２１０及び可動体２２０は、可変表示装置（センター役物）３０ａに設けられている。
【０１７１】
２３０は、発光素子を含むランプ・電飾である。
【０１７２】
２４０は、音発生装置である。音発生装置２４０は、スピーカー５２ｂと、副制御装置２００の音制御部（音響制御部）２４００からの信号に基づきスピーカー５２ｂの駆動信号を生成するサウンドプロセッサ（図示せず）を含んでいる。
【０１７３】
発明の実施の形態に係るコマンド送信手法は、主制御装置１０１から副制御装置２００へのコマンド送信に適用することができる。所定の契機（例えば、入賞装置３０ｂ〜３０ｄの入賞球通過）に応じた処理の一部について（この一部の処理が「特定処理」）、前述のループ抽選処理と同様にその処理終了までに要する時間が不定である場合、特定処理の処理の実行前に、所定の処理の開始に係る第１情報を送信し、特定処理の終了後に、その処理の結果に対応する所定の処理の実行に係る第２情報を送信し、これらの第１情報及び第２情報に基づき、演出などの所定の処理を実行することもできる。
【０１７４】
本発明は、以上の実施の形態に限定されることなく、特許請求の範囲に記載された発明の範囲内で、種々の変更が可能であり、それらも本発明の範囲内に包含されるものであることは言うまでもない。
【符号の説明】
【０１７５】
２０    サブ基板（処理部）
１１０    演出処理部
１１１    情報分離部
３００    第１送信処理部
３０１    第２送信処理部
３０２    第３送信処理部
１９００    ループ抽選手段
１９００ｂ  ループ処理部
ＣＭＤ１  予告コマンド（第１情報）
ＣＭＤ２  上乗せのための情報（第２情報）
ＣＭＤ３  ＩＦ２試験用コマンド（予め定められた時間内に送信されるべき所定の信号）
【図１】
2019141310.tif 000003
【図２】
2019141310.tif 000004
【図３】
2019141310.tif 000005
【図４】
2019141310.tif 000006
【図５】
2019141310.tif 000007
【図６】
2019141310.tif 000008
【図７】
2019141310.tif 000009
【図８】
2019141310.tif 000010
【図９】
2019141310.tif 000011
【図１０】
2019141310.tif 000012
【図１１】
2019141310.tif 000013
【図１２】
2019141310.tif 000014
【図１３】
2019141310.tif 000015
【図１４】
2019141310.tif 000016
【図１５】
2019141310.tif 000017
【図１６】
2019141310.tif 000018
【図１７】
2019141310.tif 000019
【図１８】
2019141310.tif 000020